(57)【要約】【課題】本発明は、車いすやシャワーキャリアーなどの移動式椅子に簡便に取り付けることができ、安価に提供できる転倒防止器具を提供することを目的とする。【解決手段】本発明は、移動式椅子の転倒防止器具であって、フットレスト用の支柱端部に取り付けられる土台部と、土台部の端部に取り付けられた足部とを備え、前記足部は、弾性を有することを特徴とする、転倒防止器具である。前記土台部の内部に設けられたバネ部を備え、前記足部は、前記バネ部の端部に取り付けられていることを特徴とする。【選択図】図１
2014113443.tif 000002
【特許請求の範囲】
【請求項１】
移動式椅子の転倒防止器具であって、
フットレスト用の支柱端部に取り付けられる土台部と、
土台部の端部に取り付けられた足部とを備え、
前記足部は、弾性を有することを特徴とする、転倒防止器具。
【請求項２】
前記足部の弾性は、バネ又はゴムによって実現されることを特徴とする、請求項１に記載の転倒防止器具。
【請求項３】
前記土台部の内部に設けられたバネ部を備え、
前記足部は、前記バネ部の端部に取り付けられていることを特徴とする、請求項１に記載の転倒防止器具。
【請求項４】
前記足部は、前記土台部の内部に挿入可能であり、途中で止まることを特徴とする、請求項１〜３のいずれかに記載の転倒防止器具。
【請求項５】
前記足部を取り付けるパイプ部と前記移動式椅子の支柱とを連結するための金具をさらに備え、
前記金具は、
前記パイプ部の形状に内側が湾曲した第１の狭持部と、
前記支柱の形状に内側が湾曲した第２の狭持部と、
前記第１の狭持部と前記第２の狭持部との間の中央凹み部分に設けられたスペーサーと、
前記スペーサーを介して前記第１及び第２の狭持部を締め付けるボルトとを含むことを特徴とする、請求項１〜４のいずれかに記載の転倒防止器具。
【発明の詳細な説明】
【技術分野】
【０００１】
車いすやシャワーキャリアーなどの移動式椅子の転倒防止器具に関する。
【背景技術】
【０００２】
車いすやシャワーキャリアーなどの移動式椅子のフットサポートに足をかけて立ち上がろうとすると、前方に倒れてしまう危険があることが従来から知られている。このような課題については、特許文献１や非特許文献１のＣａｓｅ２，１１９，１３２，２６５等で周知である。このような課題を解決するために、特許文献１では、フットレストに体重がかかると自動的に、フットレストが下に下がる機構が提案されている。
【先行技術文献】
【特許文献】
【０００３】
【特許文献１】特開２００９−２５４５８０号公報
【非特許文献】
【０００４】
【非特許文献１】http://www.techno-aids.or.jp/hiyari/  公益財産法人テクノエイド協会  インターネット  2012年7月23日検索
【発明の概要】
【発明が解決しようとする課題】
【０００５】
しかし、特許文献１のような電気式の機構では、安価で簡便に、既存の移動式椅子に取り付けることが困難である。
【０００６】
それゆえ、本発明は、車いすやシャワーキャリアーなどの移動式椅子に簡便に取り付けることができ、安価に提供できる転倒防止器具を提供することを目的とする。
【課題を解決するための手段】
【０００７】
上記課題を解決するために、本発明は、以下のような特徴を有する。本発明は、移動式椅子の転倒防止器具であって、フットレスト用の支柱端部に取り付けられる土台部と、土台部の端部に取り付けられた足部とを備え、足部は、弾性を有することを特徴とする。好ましくは、足部の弾性は、バネ又はゴムによって実現されるとよい。好ましくは、転倒防止器具は、土台部の内部に設けられたバネ部を備え、足部は、バネ部の端部に取り付けられているとよい。好ましくは、足部は、土台部の内部に挿入可能であり、途中で止まるとよい。好ましくは、転倒防止器具は、足部を取り付けるパイプ部と移動式椅子の支柱とを連結するための金具をさらに備える。金具は、パイプ部の形状に内側が湾曲した第１の狭持部と、支柱の形状に内側が湾曲した第２の狭持部と、第１の狭持部と第２の狭持部との間の中央凹み部分に設けられたスペーサーと、スペーサーを介して第１及び第２の狭持部を締め付けるボルトとを含むとよい。
【発明の効果】
【０００８】
本発明によれば、フットレストに体重が掛かった場合、足部が支えとなって、転倒が防止される。また、足部が弾性を有するので、障害物があっても、避けることができる。好ましくは、バネ又はゴムによって足部が構成されるとよく、安価となる。バネ部によって足部が内部に挿入可能であれば、より構造は簡素となり、しかも、確実な転倒防止が期待できる。また、第１及び第２の狭持部を含む金具を転結手段として用いれば、簡便かつ丈夫に転倒防止器具を移動式椅子に取り付けることが可能となる。
【０００９】
以上により、車いすやシャワーキャリアーなどの移動式椅子に簡便に取り付けることができ、安価に提供できる転倒防止器具を提供することが可能となる。
【００１０】
本発明のこれら、及び他の目的、特徴、局面、効果は、添付図面と照合して、以下の詳細な説明から一層明らかになるであろう。
【図面の簡単な説明】
【００１１】
【図１】図１は、本発明の一実施形態に係る転倒防止器具の内部構造を示す図である。
【図２】図２は、転倒防止器具の斜視図である。
【図３】図３は、転倒防止器具を車いすに取り付けたときの図である。
【図４】図４は、本発明の他の実施形態に係る転倒防止器具の概略図である。
【図５】図５は、パイプ部２と支柱１２を連結するための他の金具８ａを示す斜視図である。
【図６】図６は、金具８ａによって連結されたパイプ部２と支柱１２との部分拡大斜視図である。
【発明を実施するための形態】
【００１２】
図１に示すように、転倒防止器具１は、土台部となるパイプ部２の一端に設けられたバネ取り付け部３に、バネ部４を取り付け、バネ部４の一端に足部５を取り付ける。バネ部４は、伸縮可能であるので、上下、前後、左右に動くことができる。足部５の底には、高さ調整部６がボルト７によって取り付けられている。
【００１３】
図２に示すように、パイプ部２の上部には、車いすのフットレスト１１用の支柱１２に取り付けるための金具８，８が設けられている。当該金具８，８を４つのボルト９と４つのナット１０で締めることによって、転倒防止器具１を当該支柱１２に取り付けることができる。図３に示すように、当該支柱１２に、転倒防止器具１が取り付けられる。倒されたフットレスト１１（図３では、フットレスト１１が折りたたまれている状態を示している）に体重を掛けて立ち上がろうとすると、足部５が地面に接触する。接触した足部５は、パイプ部２の内部に入り込むことになる。しかし、パイプ部２の足部５側は、すり鉢状部１３になっており、一方、足部５は、地面側に行くほど広がる構造部１４になっているので、パイプ部２の内部に入った足部５は、途中で止まることとなる。これにより、フットレスト１１に足を乗せて立ち上がろうとしたとしても、足部５が支えとなって、車いすが前に倒れるのを防止する。
【００１４】
フットレスト用の支柱１２を長くすれば、フットレスト１１に体重が掛かったとしても、転倒の問題は生じないのではないかと考えるかもしれないが、支柱１２が長いと、障害物が支柱１２に当たってしまい、車椅子の移動が困難となる。しかし、本発明であれば、図１に記載するように、足部５はバネ部４の弾性力によって前後、左右、上下に動くので、障害物があっても、足部５が柔軟に動き、足部５が移動の邪魔にはならないわけである。
【００１５】
図４（Ｂ）に示すように、金属製のスチール丸棒部１６の下部端に足部としてゴム部１５を取り付けるようにした転倒防止器具１８でもよい。ゴム部１５の弾性によって、障害物があったっても、ゴム部１５が前後左右に動くので、障害物を避けることができる。図４（Ａ）に示すように丸棒部１６が、車いすに結束部１７によって結束されるとよい。また、図４（Ｃ）に示すように、丸棒部１６の一部を車いすの支柱形状にあうようにえぐり取って、えぐれ棒部１６ａを丸棒部１６の代わりに利用してもよい。えぐれ棒部１６ａを用いる場合、車いすの支柱への結束がしっかりする。転倒防止器具１８において、ゴム部１５は、スプリングであってもよい。また、ゴム部１５は、スプリングとゴムとの組み合わせであってもよい。結束部１７としては、結束バンドやバックル等であってもよいが、特に限定されない。丸棒部１６の長さｘは、車いす５台を実測した結果、１００〜１５０ｍｍ程度であるとよいことが分かった。車いすの支柱の直径Ｙは、１７〜２３ｍｍであることが分かったので、丸棒部１６や棒１６ａの直径は、２１ｍｍ程度でよいと思われる。ゴム部１５の先端は、縁を丸く削ってあるとよい。ゴム部１５の長さＺは、６０〜１１０ｍｍであるとよい。たとえば、Ｘ＝１００ｍｍ，Ｙ＝２１ｍｍ，Ｚ＝５０ｍｍの製品が考えられる。たとえば、求められる基準としては、（１）「障害物に当たるとゴム部１５が弾く、若しくは、受け止めるとよい。」、（２）「上下の荷重（７５キロ目安）に耐えるとよい。」、（３）「結束部１７は、特別な工具がなくても着脱可能であるとよい。」、（４）「金属部はメッキ処理がしてあるとよい。」、（５）「１年保証、５年程度使用可能であるとよい。」、（６）「既製部材が使用できれば使用するとよい。」が求められる。なお、上記寸法やその他の仕様はあくまでも一例に過ぎない。
【００１６】
図５は、パイプ部２と支柱１２を連結するための他の金具８ａを示す斜視図である。図６は、金具８ａによって連結されたパイプ部２と支柱１２との部分拡大斜視図である。金具８ａは、パイプ部２を挟み込んで支持する第１の狭持部８ｂと、支柱１２を挟み込んで支持する第２の狭持部８ｃとを備える。第１及び第２の狭持部８ａ，８ｂは、内側が円柱状に湾曲しており、それぞれの間を広げることによって、パイプ部２及び支柱１２を内側に入れることができる。スペーサー８ｄ及び８ｅが、第１及び第２の狭持部８ａ，８ｂの中心凹み部分に設けられている。スペーサー８ｄ及び８ｅの略中心部分に、ボルト９の径に合わせて、ねじ穴８ｈ，８ｆ，８ｇが穿孔されている。第１及び第２の狭持部８ａ，８ｂにパイプ部２及び支柱１２を入れた後、ボルト９を締めれば、第１及び第２の狭持部８ａ，８ｂによって、パイプ部２及び支柱１２を把持する圧力が加えられ、パイプ部２と支柱１２とがしっかり連結することとなる。このような構造による金具８ａを用いて、転倒防止器具１を支柱１２に固定すれば、簡便な方法で、かつ、しっかりと固定することが可能となる。なお、金具８ａは、足部を取り付けるためのパイプ部を有する構造であれば、利用することができるので、図４に示した構造の場合であっても、利用することが可能である。
【００１７】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００１８】
本発明は、移動式椅子の転倒防止器具に関し、産業上利用可能である。
【符号の説明】
【００１９】
１，１８  転倒防止具
２  パイプ部
３  バネ取付部
４  バネ部
５  足部
６  高さ調整部
７  ボルト
８，８ａ  金具
８ｂ  第１の狭持部
８ｃ  第２の狭持部
８ｄ，８ｅ  スペーサー
８ｆ，８ｇ，８ｈ  ねじ穴
９  ボルト
１０  ナット
１１  フットレスト
１２  フットレストの支柱
１３  すり鉢状部
１４  広がる構造部
１５  ゴム部
１６  丸棒部
１６ａ  えぐれ棒部
１７  結束部
【図１】
2014113443.tif 000003
【図２】
2014113443.tif 000004
【図３】
2014113443.tif 000005
【図４】
2014113443.tif 000006
【図５】
2014113443.tif 000007
【図６】
2014113443.tif 000008